(57)【要約】      （修正有）【課題】ブルーライトカット、消臭および抗菌の効果を有する光源モジュールおよび電子デバイスを提供する。【解決手段】光源モジュール１００ａは、支持ケース１１０ａと、少なくとも１つの光源１２０ａと、ブルーライトカット抗菌消臭層１３０ａとを含む。支持ケース１１０ａは、出光面を有する。光源１２０ａは、支持ケース内に配置され、光源が発した光は、出光面から放出される。ブルーライトカット抗菌消臭層１３０ａは、支持ケースの出光面の上にコーティングされ、一部の４８０ｎｍ以下の波長の光線をカットして、カットしたエネルギーを光触媒の方法で抗菌消臭効果に変換する。ブルーライトカット抗菌消臭層は、少なくとも、ナノバナジン酸ビスマス、またはナノバナジン酸ビスマスとナノシルバー、またはナノバナジン酸ビスマスとナノ酸化銀から組成される。【選択図】図１
0003189850.tif 000002
【実用新案登録請求の範囲】
【請求項１】
出光面を有する支持ケースと、
前記支持ケース内に配置され、発した光を前記出光面から放出する少なくとも１つの光源と、
前記支持ケースの前記出光面の上にコーティングすることにより、４８０ｎｍ以下の波長の光線をカットして、カットしたエネルギーを光触媒の方法で抗菌消臭効果に変換するブルーライトカット抗菌消臭層と
を含み、前記ブルーライトカット抗菌消臭層が、少なくとも、ナノバナジン酸ビスマス、またはナノバナジン酸ビスマスとナノシルバー、またはナノバナジン酸ビスマスとナノ酸化銀から組成される光源モジュール。
【請求項２】
前記支持ケースが、ランプまたはライトボックスである請求項１に記載の光源モジュール。
【請求項３】
支持ベースと、
前記支持ベースの上に固定された少なくとも１つの光源と、
前記光源の出光面の上にコーティングされ、４８０ｎｍ以下の波長の光線をカットして、カットしたエネルギーを光触媒の方法で抗菌消臭効果に変換するブルーライトカット抗菌消臭層と
を含み、前記ブルーライトカット抗菌消臭層が、少なくとも、ナノバナジン酸ビスマス、またはナノバナジン酸ビスマスとナノシルバー、またはナノバナジン酸ビスマスとナノ酸化銀から組成される光源モジュール。
【請求項４】
支持ベースと、
前記支持ベースと収容空間を定義し、出光面を有する電灯カバーと、
前記支持ベースの上に固定され、前記収容空間の中に配置された少なくとも１つの光源と、
前記電灯カバーの出光面の上にコーティングされ、４８０ｎｍ以下の波長の光線をカットして、カットしたエネルギーを光触媒の方法で抗菌消臭効果に変換するブルーライトカット抗菌消臭層と
を含み、前記ブルーライトカット抗菌消臭層が、少なくとも、ナノバナジン酸ビスマス、またはナノバナジン酸ビスマスとナノシルバー、またはナノバナジン酸ビスマスとナノ酸化銀から組成される光源モジュール。
【請求項５】
前記少なくとも１つの光源が、少なくとも１つの発光ダイオードライトバー、少なくとも１つの熱陰極蛍光管または少なくとも１つの冷陰極蛍光管を含む請求項１、３または４に記載の光源モジュール。
【請求項６】
前記ブルーライトカット抗菌消臭層の厚さが、０．５μｍ〜９μｍの間である請求項１、３または４に記載の光源モジュール。
【請求項７】
少なくとも１つの光源を含む光源モジュールと、
前記光源モジュールの上方に配置され、表示面を有する表示パネルと、
前記表示パネルの前記表示面の上にコーティングされ、４８０ｎｍ以下の波長の光線をカットして、カットしたエネルギーを光触媒の方法で抗菌消臭効果に変換するブルーライトカット抗菌消臭層と
を含み、前記ブルーライトカット抗菌消臭層が、少なくとも、ナノバナジン酸ビスマス、またはナノバナジン酸ビスマスとナノシルバー、またはナノバナジン酸ビスマスとナノ酸化銀から組成される電子デバイス。
【請求項８】
前記電子デバイスが、ＰＤＡ、液晶ディスプレイ、ノート型パソコン、タブレットＰＣまたは携帯電話を含む請求項７に記載の電子デバイス。
【請求項９】
前記ブルーライトカット抗菌消臭層の厚さが、０．５μｍ〜９μｍの間である請求項７に記載の電子デバイス。
【請求項１０】
前記少なくとも１つの光源が、少なくとも１つの発光ダイオードライトバー、少なくとも１つの熱陰極蛍光管、または少なくとも１つの冷陰極蛍光管を含む請求項７に記載の電子デバイス。
【考案の詳細な説明】
【技術分野】
【０００１】
この考案は、光源モジュールおよび電子デバイスに関し、特に、ブルーライトカット抗菌消臭層を有する光源モジュールおよび電子デバイスに関する。
【背景技術】
【０００２】
公衆の環境、特に、学校、病院、駅または政府機関等の室内の公共の場所には多くの人々が集まるため、公共の場所にある共有装置（例えば、光源モジュールや電子デバイス等）は、常に、そこに付着した汚れに触れて細菌が充満し、ばい菌が広がりやすく、ひどい時には、病原体の温床となることがある。
【考案の概要】
【考案が解決しようとする課題】
【０００３】
現在の解決方法としては、受け身的な定期消毒や清掃、あるいは、エアコンシステムに抗菌フィルターを設置して抗菌を行う方法がある。しかしながら、上記の方法は、人件費や時間を浪費する必要があり、且つ、消毒が不完全であるためにこのように常に人の手に触れる場所が不規則な病気とウイルスの感染媒体になる可能性もある。また、研究によると、人の目に障害を与える最大の波長は４８０ｎｍ以下の光線である。現在の共有装置は、ブルーライトカットの機能を備えていないため、長期使用すると人の目に障害を与えやすい。
【考案の目的】
【０００４】
そこで、この考案の目的は、ブルーライトカット抗菌消臭層を有し、光（例えば、ブルーライト）カット、消臭および抗菌の効果を達成することのできる光源モジュールを提供することにある。
【０００５】
この考案の目的は、また、ブルーライトカット抗菌消臭層を有し、光（例えば、ブルーライト）カット、消臭および抗菌の効果を達成することのできる電子デバイスを提供することにある。
【課題を解決するための手段】
【０００６】
この考案の光源モジュールは、支持ケースと、少なくとも１つの光源と、ブルーライトカット抗菌消臭層とを含む。支持ケースは、出光面を有する。光源は、支持ケース内に配置され、光源が発した光は、出光面から放出される。ブルーライトカット抗菌消臭層は、支持ケースの出光面の上にコーティングされ、一部の４８０ｎｍ以下の波長の光線をカットして、カットしたエネルギーを光触媒の方法で抗菌消臭効果に変換する。そのうち、ブルーライトカット抗菌消臭層は、少なくとも、ナノバナジン酸ビスマス（ｎａｎｏ  ｂｉｓｍｕｔｈ  ｖａｎａｄａｔｅ）、またはナノバナジン酸ビスマスとナノシルバー（ｎａｎｏ  ｓｉｌｖｅｒ）、またはナノバナジン酸ビスマスとナノ酸化銀（ｎａｎｏ  ｓｉｌｖｅｒ  ｏｘｉｄｅ）から組成される。
【０００７】
この考案の１つの実施形態中、上述した支持ケースは、ランプまたはライトボックスである。
【０００８】
この考案の光源モジュールは、支持ベースと、少なくとも１つの光源と、ブルーライトカット抗菌消臭層とを含む。光源は、支持ベースの上に固定される。ブルーライトカット抗菌消臭層は、光源の出光面の上にコーティングされ、４８０ｎｍ以下の波長の光線をカットして、カットしたエネルギーを光触媒の方法で抗菌消臭効果に変換する。そのうち、ブルーライトカット抗菌消臭層は、少なくとも、ナノバナジン酸ビスマス、またはナノバナジン酸ビスマスとナノシルバー、またはナノバナジン酸ビスマスとナノ酸化銀から組成される。
【０００９】
この考案の光源モジュールは、支持ベースと、電灯カバーと、少なくとも１つの光源と、ブルーライトカット抗菌消臭層とを含む。電灯カバーと支持ベースは、収容空間を定義し、且つ出光面を有する。光源は、支持ベースの上に固定され、且つ収容空間の中に配置される。ブルーライトカット抗菌消臭層は、電灯カバーの出光面の上にコーティングされ、４８０ｎｍ以下の波長の光線をカットして、カットしたエネルギーを光触媒の方法で抗菌消臭効果に変換する。そのうち、ブルーライトカット抗菌消臭層は、少なくとも、ナノバナジン酸ビスマス、またはナノバナジン酸ビスマスとナノシルバー、またはナノバナジン酸ビスマスとナノ酸化銀から組成される。
【００１０】
この考案の１つの実施形態中、上述した少なくとも１つの光源は、少なくとも１つの発光ダイオード（Ｌｉｇｈｔ  Ｅｍｉｔｔｉｎｇ  Ｄｉｏｄｅ、ＬＥＤ）ライトバー、少なくとも１つの熱陰極蛍光管（ｈｏｔ  ｃａｔｈｏｄｅ  ｆｌｕｏｒｅｓｃｅｎｔ  ｌａｍｐ、ＨＣＦＬ）、または少なくとも１つの冷陰極蛍光管（ｃｏｌｄ  ｃａｔｈｏｄｅ  ｆｌｕｏｒｅｓｃｅｎｔ  ｌａｍｐ、ＣＣＦＬ）を含む。
【００１１】
この考案の１つの実施形態中、上述したブルーライトカット抗菌消臭層の厚さは、０．５μｍ〜９μｍの間である。
【００１２】
この考案の電子デバイスは、光源モジュールと、表示パネルと、ブルーライトカット抗菌消臭層とを含む。光源モジュールは、少なくとも１つの光源を含む。表示パネルは、光源モジュールの上方に配置され、且つ表示面を有する。ブルーライトカット抗菌消臭層は、表示パネルの表示面の上にコーティングされ、４８０ｎｍ以下の波長の光線をカットして、カットしたエネルギーを光触媒の方法で抗菌消臭効果に変換する。そのうち、ブルーライトカット抗菌消臭層は、少なくとも、ナノバナジン酸ビスマス、またはナノバナジン酸ビスマスとナノシルバー、またはナノバナジン酸ビスマスとナノ酸化銀から組成される。
【００１３】
この考案の１つの実施形態中、上述した電子デバイスは、ＰＤＡ（Ｐｅｒｓｏｎａｌ  ｄｉｇｉｔａｌ  ａｓｓｉｓｔａｎｔ）、液晶ディスプレイ、ノート型パソコン、タブレットＰＣ（ｔａｂｌｅｔ  ｃｏｍｐｕｔｅｒ）または携帯電話を含む。
【００１４】
この考案の１つの実施形態中、上述したブルーライトカット抗菌消臭層の厚さは、０．５μｍ〜９μｍの間である。
【００１５】
この考案の１つの実施形態中、上述した少なくとも１つの光源は、少なくとも１つの発光ダイオードライトバー（ＬＥＤ  ｌｉｇｈｔ  ｂａｒ）、少なくとも１つの熱陰極蛍光管、または少なくとも１つの冷陰極蛍光管を含む。
【考案の効果】
【００１６】
以上のように、この考案の光源モジュールは、ブルーライトカット抗菌消臭層を有することにより、一部の４８０ｎｍ以下の波長の光線をカットして、カットしたエネルギーを光触媒の方法で抗菌消臭効果に変換することができる。そのため、この考案の光源モジュールは、照明の機能を有するだけでなく、ブルーライトカット、消臭および抗菌の効果も有し、この光源モジュールを応用する環境をより清潔で安全な環境にすることができる。
【００１７】
この考案の上記および他の目的、特徴、および利点をより分かり易くするため、図面と併せた幾つかの実施形態を以下に説明する。
【図面の簡単な説明】
【００１８】
【図１】この考案の１つの実施形態に係る光源モジュールの概略図である。
【図２】この考案の別の実施形態に係る光源モジュールの概略図である。
【図３】この考案の別の実施形態に係る光源モジュールの概略図である。
【図４】この考案の別の実施形態に係る光源モジュールの概略図である。
【図５】この考案の１つの実施形態に係る電子デバイスの概略図である。
【考案を実施するための形態】
【００１９】
図１は、この考案の１つの実施形態に係る光源モジュールの概略図である。図１を参照すると、本実施形態において、光源モジュール１００ａは、支持ケース１１０ａと、少なくとも１つの光源１２０ａと、ブルーライトカット抗菌消臭層１３０ａとを含む。支持ケース１１０ａは、出光面１１２ａを有する。光源１２０ａは、支持ケース１１０ａ内に配置され、光源１２０ａが発した光は、出光面１１２ａから放出される。ブルーライトカット抗菌消臭層１３０ａは、支持ケース１１０ａの出光面１１２ａの上にコーティングされ、４８０ｎｍ以下の波長の光線をカットして、カットしたエネルギーを光触媒の方法で抗菌消臭効果に変換する。特に、本実施形態のブルーライトカット抗菌消臭層１３０ａは、少なくとも、ナノバナジン酸ビスマス、またはナノバナジン酸ビスマスとナノシルバー、またはナノバナジン酸ビスマスとナノ酸化銀から組成される。
【００２０】
具体的に説明すると、本実施形態では、支持ケース１１０ａを長細いランプに特定し、支持ケース１１０ａの材料は、例えば、ガラスまたはプラスチックであるが、本発明はこれに限定されない。光源１２０ａは、例えば、少なくとも１つの発光ダイオード（ＬＥＤ）ライトバー、少なくとも１つの熱陰極蛍光管（ＨＣＦＬ）、または少なくとも１つの冷陰極蛍光管（ＣＣＦＬ）であるが、本発明はこれに限定されない。ここでは、光源１２０ａが１つの冷陰極蛍光管である場合を例として説明する。また、本実施形態のブルーライトカット抗菌消臭層１３０ａの厚さＤは、０．５μｍ〜９μｍの間である。
【００２１】
特に、本実施形態のブルーライトカット抗菌消臭層１３０ａ内の材料は、ナノバナジン酸ビスマス、またはナノバナジン酸ビスマスとナノシルバー、またはナノバナジン酸ビスマスとナノ酸化銀であり、４８０ｎｍ以下の波長の光線をカットする機能を有する。つまり、本実施形態のブルーライトカット抗菌消臭層１３０ａは、ブルーライトをカットすることができる。また、ブルーライトカット抗菌消臭層１３０ａは、その材料の特性により、４８０ｎｍ以下の波長の光線をカットして、カットしたエネルギーを光触媒の方法で抗菌消臭効果に変換することができるため、本実施形態のブルーライトカット抗菌消臭層１３０ａは、消臭および抗菌の機能も有する。
【００２２】
簡単に説明すると、ブルーライトカット抗菌消臭層１３０ａを支持ケース１１０ａの出光面１１２ａの上にコーティングした時、ブルーライトカット抗菌消臭層１３０ａは、一部のブルーライトをカットしてユーザーの眼を保護するだけでなく、消臭および抗菌の機能も有することができる。そのため、本実施形態の光源モジュール１００ａは、照明の機能だけでなく、光（例えば、ブルーライト）カット、消臭および抗菌の機能も有する。
【００２３】
ここで説明すべきこととして、上述した実施形態の参照番号および一部の内容を以下の実施形態において使用するが、同一の参照番号は、同一または類似する構成要素を示すものとし、同じ技術内容については、説明を省略する。省略した詳細説明については、上述した実施形態を参照することができるため、以下の実施形態では繰り返し説明しない。
【００２４】
図２は、この考案の別の実施形態に係る光源モジュールの概略図である。図２を参照すると、本実施形態の光源モジュール１００ｂと図１の光源モジュール１００ａは類似しており、これらの主な相違点は、本実施形態の支持ケース１１０ｂをＴ‐Ｂａｒライトボックス等のライトボックスに特定し、材料が、例えば、軽量鉄骨であることである。光源１２０ｂは、支持ケース１１０ｂ内に配置され、光源１２０ｂが発する光線は、支持ケース１１０ｂの出光面１１２ｂおよび出光面１１２ｂの上にコーティングされたブルーライトカット抗菌消臭層１３０ｂを順番に通過して外界に伝達される。
【００２５】
図３は、この考案の別の実施形態に係る光源モジュールの概略図である。図３を参照すると、本実施形態の光源モジュール１００ｃと図１の光源モジュール１００ａは類似しており、これらの主な相違点は、本実施形態の光源１２０ｃを発光ダイオード（ＬＥＤ）ライトバーに特定し、光源１２０ｃが支持ベース１１０ｃの上に固定されていることである。
【００２６】
特に、本実施形態は、ブルーライトカット抗菌消臭層１３０ｃを光源１２０ｃの出光面１２２ｃの上に直接コーティングすることにより、４８０ｎｍ以下の波長の光線をカットして、カットしたエネルギーを光触媒の方法で抗菌消臭効果に変換する。したがって、本実施形態の光源モジュール１００ｃは、照明の機能を有するだけでなく、光（例えば、ブルーライト）カット、消臭および抗菌の機能も有する。
【００２７】
図４は、この考案の別の実施形態に係る光源モジュールの概略図である。図４を参照すると、本実施形態の光源モジュール１００ｄと図３の光源モジュール１００ｃは類似しており、これらの主な相違点は、本実施形態の光源モジュール１００ｃがさらに電灯カバー１４０ｄを有することであり、電灯カバー１４０ｄは、支持ベース１１０ｄと収容空間Ｓを定義して、収容空間Ｓの中に光源１２０ｄが配置され、且つ電灯カバー１４０ｄは、出光面１４２ｄを有する。
【００２８】
特に、本実施形態は、ブルーライトカット抗菌消臭層１３０ｄを電灯カバー１４０ｄの出光面１４２ｄの上にコーティングすることにより、４８０ｎｍ以下の波長の光線をカットして、カットしたエネルギーを光触媒の方法で抗菌消臭効果に変換する。したがって、本実施形態の光源モジュール１００ｄは、光（例えば、ブルーライト）カット、消臭および抗菌の機能を有する。
【００２９】
図５は、この考案の１つの実施形態に係る電子デバイスの概略図である。図５を参照すると、本実施形態の電子デバイス２００は、光源モジュール２１０と、表示パネル２２０と、ブルーライトカット抗菌消臭層２３０とを含む。光源モジュール２１０は、少なくとも１つの光源２１２を含み、光源２１２は、例えば、少なくとも１つの発光ダイオード（ＬＥＤ）ライトバー、少なくとも１つの熱陰極蛍光管または少なくとも１つの冷陰極蛍光管であるが、本発明はこれに限定されない。表示パネル２２０は、光源モジュール２１０の上方に配置され、且つ表示面２２２を有する。
【００３０】
特に、本実施形態は、ブルーライトカット抗菌消臭層２３０を表示パネル２２０の表示面２２２の上に直接コーティングすることにより、４８０ｎｍ以下の波長の光線をカットして、カットしたエネルギーを光触媒の方法で抗菌消臭効果に変換する。ブルーライトカット抗菌消臭層２３０は、少なくとも、ナノバナジン酸ビスマス、またはナノバナジン酸ビスマスとナノシルバー、またはナノバナジン酸ビスマスとナノ酸化銀から組成される。ここで、ブルーライトカット抗菌消臭層２３０の厚さＤ’は、０．５μｍ〜９μｍの間であり、電子デバイス２００は、例えば、ＰＤＡ、液晶ディスプレイ、ノート型パソコン、タブレットＰＣまたは携帯電話である。
【００３１】
本実施形態の電子デバイス２００は、ブルーライトカット抗菌消臭層２３０を有するため、このブルーライトカット抗菌消臭層２３０を表示パネル２２０の上にコーティングした時、ブルーライトカットによりユーザーの眼を保護するだけでなく、表示パネル２２０を保護する機能も有する。また、ブルーライトカット抗菌消臭層２３０は、その材料特性により、カットしたエネルギーを光触媒の方法で抗菌消臭効果に変換することができるため、本実施形態のブルーライトカット抗菌消臭層２３０は、電子デバイス２００に消臭と抗菌の機能を持たせることができる。
【００３２】
以上のように、この考案の光源モジュールは、ブルーライトカット抗菌消臭層を有することにより、４８０ｎｍ以下の波長の光線をカットして、カットしたエネルギーを光触媒の方法で抗菌消臭効果に変換することができる。そのため、この考案の光源モジュールは、照明の機能を有するだけでなく、ブルーライトカット、消臭および抗菌の機能も有し、この光源モジュールを応用する環境をより清潔で安全な環境にすることができる。
【００３３】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定められなければならない。
【符号の説明】
【００３４】
１００ａ、１００ｂ、１００ｃ、１００ｄ、２１０  光源モジュール
１１０ａ、１１０ｂ  支持ケース
１１０ｃ、１１０ｄ  支持ベース
１１２ａ、１１２ｂ、１２２ｃ、１４２ｄ  出光面
１２０ａ、１２０ｂ、１２０ｃ、１２０ｄ、２１２  光源
１３０ａ、１３０ｂ、１３０ｃ、１３０ｄ、２３０  ブルーライトカット抗菌消臭層
１４０ｄ  電灯カバー
２００  電子デバイス
２２０  表示パネル
２２２  表示面
Ｄ、Ｄ’  厚さ
Ｓ  収容空間
【図１】
0003189850.tif 000003
【図２】
0003189850.tif 000004
【図３】
0003189850.tif 000005
【図４】
0003189850.tif 000006
【図５】
0003189850.tif 000007